(57)【要約】【課題】極めて簡単かつ容易な構造で、強度が高く、かつ安全性も高い防音パネル枠体用枠材を提供するものである。【解決手段】防音パネル（Ｐ）の周縁部（Ｐｅ）を挿入する溝開口（２１）を内周側に備えた取付溝枠部（２０）のパネル後面部（Ｐｒ）側に角筒状の補強枠部（３０）を有し、前記補強枠部の後面部（３２）に防音パネルへの取付部材（Ｓ）の取付部（３５）が形成され、前記取付部の後部には外周側への張出部（５１）を介して後方に延設された外枠部（５２）を備えた積み重ね枠部（５０）を有する防音パネルの枠体を構成する枠材（１０）であって、前記取付溝枠部のパネル前面部（Ｐｆ）側は、前記取付部に取付けられた防音パネルへの取付部材の先端部（Ｓｐ）が前面部から露出しないように前方へ突出する突出部（２５）が形成されているとともに、前記突出部は積み重ね時に前記取付部に収容配置できる大きさ及び形状に形成されている。【選択図】図１
0003114943.tif 000002
【実用新案登録請求の範囲】
【請求項１】
防音パネル（Ｐ）の周縁部（Ｐｅ）を挿入する溝開口（２１）を内周側に備えた取付溝枠部（２０）のパネル後面部（Ｐｒ）側に角筒状の補強枠部（３０）を有し、前記補強枠部の後面部（３２）に防音パネルへの取付部材（Ｓ）の取付部（３５）が形成され、前記取付部の後部には外周側への張出部（５１）を介して後方に延設された外枠部（５２）を備えた積み重ね枠部（５０）を有する防音パネルの枠体を構成する枠材（１０）であって、
前記取付溝枠部のパネル前面部（Ｐｆ）側は、前記取付部に取付けられた防音パネルへの取付部材の先端部（Ｓｐ）が前面部から露出しないように前方へ突出する突出部（２５）が形成されているとともに、前記突出部は積み重ね時に前記取付部に収容配置できる大きさ及び形状に形成されていることを特徴とする防音パネル枠体用枠材。
【請求項２】
前記取付溝枠部（２０）の内部に、防音パネル（Ｐ）の端縁（Ｐｐ）を嵌合係止する嵌着部（２３）が形成されている請求項１に記載の防音パネル枠体用枠材。
【請求項３】
前記取付部（３５）に、前記突出部（２５）のための載置溝部（３６）が形成されている請求項１又は請求項２に記載の防音パネル枠体用枠材。
【請求項４】
前記積み重ね枠部（５０）の外枠部（５２）の後端部に内周側へ屈曲部（５５）が形成されている請求項１ないし請求項３のいずれか１項に記載の防音パネル枠体用枠材。
【考案の詳細な説明】
【技術分野】
【０００１】
本考案は、建設現場等において作業用足場などに取り付けられる防音パネル枠体用枠材の改良に関する。
【背景技術】
【０００２】
建物の建設、補修あるいは外壁の工事などを行う際に、作業員の作業及び通路の確保などのために、建物の外周に足場が設置されるが、足場の外側には防音パネルを取り付けることがよく行われている。この防音パネルは、現場周辺への騒音防止、作業員や建築資材の落下防止、また工事現場の外観の向上等の役割を有している。
【０００３】
このような防音パネルの運搬や保管等においては、通常、複数の防音パネルを水平に積載することが行われている。しかしながら、防音パネルを水平に積み重ねると、積載時の高さが高くなり不安定になるため、トラックやフォークリフト等の運搬中などに、荷崩れを起こし事故が発生するおそれがあった。そこで、積載時の荷崩れを改善する養生網が提案されている（例えば、昭５３−５４３４５号公報参照）。
【０００４】
防音パネルと同様の技術である従来構造の養生網（７０）は、内側に網７５を張設できる前面部（７１）と、断面クランク状をなす段状の屈折部（７２）を介して設けられた側壁部（７３）を有する。複数の養生網（７０）を、図６に示すように水平に積み重ねると、下段の屈折部（７２）の後部側に、上段の前面部（７１）の表面側が当接する。従って、養生網（７０）の側壁部の後端部から、屈折部の後部までの距離の分だけ、養生網（７０）を積み重ねたときの高さが低くなる。さらに、下段の側壁部（７３）が上段の屈折部（７２）に当接することにより、養生網（７０）の横ズレが規制されるという利点がある。
【０００５】
しかしながら、前記手段によると、積載時における上段と下段の養生網が当接する面積が小さいため、積み重ねる養生網の数を増加していくと、下段の養生網の当接箇所に、その上に積み重ねた全ての養生網の荷重が集中的に加わり、枠材の変形や破損が生じるおそれがある。さらに、運搬や取り扱いの便利さから、枠体用枠材を例えばアルミニウム等の軽金属材料で形成した場合には、枠材の変形や破損の生じる危険性がより高くなる。また、防音パネルの枠材への取り付け方によっては、その自重により枠材に捻れ方向の負荷がかかるため、枠材の断面が上記の養生網のような断面構造であると強度が低く、枠材が容易に変形してしまう可能性がある。
【０００６】
ところで、防音パネルの枠材への嵌め込み施工時には、防音パネルと枠材を固定するために、例えばスクリューねじなどの取付具を用いて、防音パネルの後面側から取り付けることが行われている。そのため、防音パネルの前面部から、取り付けたスクリューねじの先端部が露出し、現場作業員などが怪我をする危険性があり、さらに、美観が損なわれるという欠点があった。
【考案の開示】
【考案が解決しようとする課題】
【０００７】
従って、本考案は、前記の問題点を鑑みてなされたものであり、極めて簡単かつ容易な構造で、強度が高く、かつ安全性も高い防音パネル枠体用枠材を提供するものである。
【課題を解決するための手段】
【０００８】
すなわち、請求項１の考案は、防音パネル（Ｐ）の周縁部（Ｐｅ）を挿入する溝開口（２１）を内周側に備えた取付溝枠部（２０）のパネル後面部（Ｐｒ）側に角筒状の補強枠部（３０）を有し、前記補強枠部の後面部（３２）に防音パネルへの取付部材（Ｓ）の取付部（３５）が形成され、前記取付部の後部には外周側への張出部（５１）を介して後方に延設された外枠部（５２）を備えた積み重ね枠部（５０）を有する防音パネルの枠体を構成する枠材（１０）であって、前記取付溝枠部のパネル前面部（Ｐｆ）側は、前記取付部に取付けられた防音パネルへの取付部材の先端部（Ｓｐ）が前面部から露出しないように前方へ突出する突出部（２５）が形成されているとともに、前記突出部は積み重ね時に前記取付部に収容配置できる大きさ及び形状に形成されていることを特徴とする防音パネル枠体用枠材に係る。
【０００９】
請求項２の考案は、前記取付溝枠部（２０）の内部に、防音パネル（Ｐ）の端縁（Ｐｐ）を嵌合係止する嵌着部（２３）が形成されている請求項１に記載の防音パネル枠体用枠材に係る。
【００１０】
請求項３の考案は、前記取付部（３５）に、前記突出部（２５）のための載置溝部（３６）が形成されている請求項１又は請求項２に記載の防音パネル枠体用枠材に係る。
【００１１】
また、請求項４の考案は、前記積み重ね枠部（５０）の外枠部（５２）の後端部に内周側へ屈曲部（５５）が形成されている請求項１ないし請求項３のいずれか１項に記載の防音パネル枠体用枠材に係る。
【考案の効果】
【００１２】
請求項１の考案に係る防音パネル枠体用枠材は、前記取付溝枠部のパネル前面部（Ｐｆ）側は、前記取付部に取付けられた防音パネルへの取付部材の先端部（Ｓｐ）が前面部から露出しないように前方へ突出する突出部（２５）が形成されているとともに、前記突出部は積み重ね時に前記取付部に収容配置できる大きさ及び形状に形成されているものであるから、極めて簡単かつ容易な構造で、強度が高く、かつ安全性も高い。
【００１３】
請求項２に係る考案にあっては、請求項１に記載の防音パネル枠体用枠材において、前記取付溝枠部（２０）の内部に、防音パネル（Ｐ）の端縁（Ｐｐ）を嵌合係止する嵌着部（２３）が形成されており、防音パネルを枠材に嵌め込みやすく、作業性がよい。
【００１４】
請求項３の考案にあっては、請求項１又は２に記載の防音パネル枠体用枠材において、前記取付部（３５）に、前記突出部（２５）のための載置溝部（３６）が形成されているので、防音パネル積載時の安定性が向上し、横ズレを防止することができる。
【００１５】
また、請求項４の考案にあっては、請求項１ないし請求項３のいずれか１項に記載の防音パネル枠体用枠材において、前記積み重ね枠部（５０）の外枠部（５２）の後端部に内周側へ屈曲部（５５）が形成されているので、さらに効果的にパネル積載時の横ズレを防止することができる。
【考案を実施するための最良の形態】
【００１６】
以下添付の図面に従って、この考案を詳細に説明する。図１はこの考案の一実施例に係る防音パネル枠体用枠材の全体斜視図、図２はその断面図、図３は図１を水平に積み重ねた状態の断面図、図４は防音パネルの足場への取付状態を示す拡大断面図、図５は図４の前側平面図である。
【００１７】
請求項１の考案として規定し、図１に示すように、防音パネル枠体用枠材（１０）は、防音パネル（Ｐ）の周縁部（Ｐｅ）を挿入する溝開口（２１）を内周側に備えた取付溝枠部（２０）のパネル後面部（Ｐｒ）側に角筒状の補強枠部（３０）を有し、前記補強枠部の後面部（３２）に防音パネルへの取付部材（Ｓ）の取付部（３５）が形成され、前記取付部の後部には外周側への張出部（５１）を介して後方に延設された外枠部（５２）を備えた積み重ね枠部（５０）を有する防音パネルの枠体を構成する枠材であって、前記取付溝枠部のパネル前面部（Ｐｆ）側は、前記取付部に取付けられた防音パネルへの取付部材の先端部（Ｓｐ）が前面部から露出しないように前方へ突出する突出部（２５）が形成されているとともに、前記突出部は積み重ね時に前記取付部に収容配置できる大きさ及び形状に形成されていることを特徴とする。
【００１８】
防音パネル枠体用枠材（１０）を用いて構成された枠体に嵌合された防音パネル（Ｐ）は、例えば、工事現場の外周等に設置する場合において、図示しない足場側に対して、パネル後面部（Ｐｒ）側が対向するように、足場等に取り付けられる。防音パネル（Ｐ）の材質としては、特に限定されないが、繊維強化プラスチックから成形されたものを使用することができる。防音パネル枠体用枠材（１０）の大きさ、材質等は、適宜、用途に応じて選択することができ、例えば、軽量であるアルミニウム合金を用いることができる。また、防音パネル枠体用枠材（１０）は、大量生産可能な押出成形により作製し、所定の長さに切断し、溶接等することにより防音パネル枠体（１５）として使用される。
【００１９】
取付溝枠部（２０）は、防音パネル（Ｐ）の周縁部（Ｐｅ）を挿入する溝開口（２１）を内周側に備えるとともに、前記取付溝枠部（２０）のパネル前面部（Ｐｆ）側は、前記取付部（３５）に取り付けられた防音パネルへの取付部材の先端部（Ｓｐ）が前面部から露出しないように前方へ突出する突出部（２５）が形成されている。前記溝開口（２１）は、防音パネル（Ｐ）の周縁部（Ｐｅ）を挿入するのに十分な開口長が必要である。
【００２０】
また、請求項２の考案として規定するように、前記取付溝枠部（２０）の内部には、防音パネル（Ｐ）の端縁（Ｐｐ）を嵌合係止する嵌着部（２３）を形成することが望ましい。嵌着部（２３）を設けることにより、防音パネル（Ｐ）の周縁部（Ｐｅ）を溝開口（２１）に挿入する際に、防音パネル（Ｐ）が安定しやすく、取付部材（Ｓ）の取り付け作業がしやすくなる。嵌着部（２３）は、防音パネル（Ｐ）の端縁（Ｐｐ）を嵌合係止することができれば、どうのような形態でもよく、実施例においては、取付溝枠部（２０）の内部に突部（２４）を設けることにより、突部（２４）と補強枠部（３０）の前面部（３１）との間に、嵌着部（２３）を形成している。
【００２１】
補強枠部（３０）は、前記取付溝枠部（２０）のパネル後面部（Ｐｒ）側に角筒状に形成され、前記補強枠部（３０）の後面部（３２）に防音パネルの取付部材（Ｓ）の取付部（３５）が形成される。補強枠部（３０）を形成することにより、防音パネル（Ｐ）を防音パネル枠体用枠材（１０）へ嵌め込み、固定したときに、防音パネルの自重により、枠材へ捻れ方向の負荷が加わわっても、枠材（１０）が変形しにくくなり、枠材（１０）の強度や耐久性が向上する。角筒状の補強枠部（３０）の大きさには特に限定はないが、後述のように、取付部材（Ｓ）によって取付部（３５）から、補強枠部（３０）を介して、防音パネル（Ｐ）を固定するため、取付部材（Ｓ）の長さを考慮して、補強枠部（３０）の大きさを適宜選択する必要がある。また、補強枠部（３０）の前面部（３１）には、ガイド部（３８）を設けることが望ましい。ガイド部（３８）の斜面に沿って、防音パネルの周縁部（Ｐｅ）を溝開口（２１）から取付溝枠部（２０）に挿入し易くなり、スムーズに作業を行うことができるためである。
【００２２】
防音パネル（Ｐ）を枠材（１０）へ取り付ける際には、取付溝枠部（２０）へ防音パネル（Ｐ）の周縁部（Ｐｅ）を溝開口（２１）へ挿入した後、取付部（３５）から、例えばスクリューねじなどの取付部材（Ｓ）によって、補強枠部（３０）を介して防音パネル（Ｐ）を螺着する。前記取付溝枠部（２０）のパネル前面部（Ｐｆ）側は、前記取付部（３５）に取付けられた防音パネルへの取付部材の先端部（Ｓｐ）が前面部から露出しないように前方へ突出する突出部（２５）が形成されているので、取付部材の先端部（Ｓｐ）が防音パネルの前面部（Ｐｆ）から露出することによる、現場作業員等の怪我のおそれ等がなくなり、安全性及び外観も向上する。前記突出部（２５）は、実施例では、前方に弧を描く断面略半円状に形成されているが、この形状に限定されず、前方へ突出する突出部であって、前記取付部（３５）に取付けられた防音パネル（Ｐ）への取付部材の先端部（Ｓｐ）が前面部から露出しないように前方へ突出するとともに、積み重ね時に前記取付部（３５）に収容配置できる大きさ及び形状であればよく、例えば、断面略コ字状のものでもよい。
【００２３】
また、請求項３の考案として規定するように、前記取付部（３５）に、前記突出部（２５）のための載置溝部（３６）を形成することが望ましい。防音パネル枠体用枠材（１０）を積み重ねた上段の突出部（２５）において、下段の取付部（３５）に当接する箇所が、水平面を有さない場合であっても、図３に示すように、取付部（３５）に、突出部（２５）のための載置溝部（３６）を設けることによって、極めて簡易な構造で、非常に安定した状態で防音パネル枠体用枠材（１０）を積み重ねることができ、結果的に防音パネル枠体用枠材（１０）の耐久性も向上させることができる。
【００２４】
積み重ね枠部（５０）は前記取付部（３５）の後部に外周側の張出部（５１）を介して後方に延設された外枠部（５２）を備えている。さらに、請求項４の考案として規定するように、前記積み重ね枠部（５０）の外枠部（５２）の後端部に内周側へ屈曲部（５５）を形成することが好ましい。前記屈曲部（５５）は、枠材（１０）を積み重ねたときに、上段の張出部（５１）と当接するように設けてもよく、この場合、上段からの負荷を、屈曲部（５５）と前述の載置溝部（３６）に分散させることができ、局所的に負荷がかからないので、枠材（１０）が変形しにくくなる。また、張出部（５１）と屈曲部（５５）は他の箇所よりも、負荷がかかりやすいので、肉厚を厚く形成するようにすれば、より一層枠材（１０）が変形しにくくなり、耐久性も向上する。
【００２５】
また、積み重ね枠部（５０）の外枠部（５２）が形成されているため、防音パネル枠体用枠材（１０）を積み重ねたときに、何らかの激しい衝撃によって、下段の載置溝部（３６）に載置された上段の突出部（２５）が外れるようなことがあっても、外枠部（５２）もしくは、屈曲部（５５）により、横方向の移動は規制され、荷崩れなどを防止することができる。
【００２６】
次に、上記のような防音パネル枠体用枠材（１０）を用いて、防音パネルを足場等に施行する方法について説明する。まず、上述のように防音パネル（Ｐ）の４つの周縁部（Ｐｅ）を、それぞれ防音パネル枠体用枠材（１０）へ嵌め込み、枠材を溶接等することにより、図５に示すように、防音パネル枠体（１５）とされる。このとき、実施例のように、防音パネル（Ｐ）を嵌め込んだ防音パネル枠体（１５）の各内側角部に、補強のため断面Ｌ字状の補強金具（Ｒ）を取り付けることが好ましい。図４に示すように、足場の支柱などに設けられた支持ボルト（Ｂ）を、断面Ｌ字状の補強金具（Ｒ）の貫通孔（Ｒｔ）と、積み重ね枠部（５０）の外枠部（５２）に形成された貫通孔（５８）に挿通させる。このボルト（Ｂ）を挿通した防音パネル枠体（１５）の上部に、別の防音パネル枠体（１５）の貫通孔（Ｒｔ）、貫通孔（５８）に支持ボルト（Ｂ）を挿通させる。下側の防音パネル枠体（１５）の外枠部（５２）と、上側の防音パネル枠体（１５）の外枠部（５２）が、その自重により圧接するため、工事現場の騒音が遮断される。同様にして、図５に示すように、上下左右方向に枠体（１５）を足場の外周等に取り付る。
【００２７】
さらに、補強枠部（３０）の外面部（３３）に、例えば、ゴムなどの弾力性のあるスタッキング（３９）を設けておけば、防音パネル枠体の足場への施工時に、外枠部（５２）が圧接するとともに、スタッキング（３９）も押圧されて圧接するので、騒音の遮断効果をさらに高められることが期待される。また、防音パネル枠体（１５）の足場への取付施工時や、積載状態での運搬時において、枠体同士が接触するときの騒音を減少させることもできる。
【図面の簡単な説明】
【００２８】
【図１】この考案の一実施例に係る防音パネル枠体用枠材の全体斜視図である。
【図２】図１の断面図である。
【図３】図１を水平に積み重ねた状態の断面図である。
【図４】防音パネルの足場への取付状態を示す拡大断面図である。
【図５】図４の前側平面図である。
【図６】従来の養生網を積層した状態の断面図である。
【符号の説明】
【００２９】
１０  防音パネル枠体用枠材
２０  取付溝枠部
２１  溝開口
２３  嵌着部
２５  突出部
３０  補強枠部
３２  後面部
３５  取付部
３６  載置溝部
５０  積み重ね枠部
５１  張出部
５２  外枠部
５５  屈曲部
Ｐ  防音パネル
Ｐｅ  周縁部
Ｐｒ  パネル後面部
Ｐｆ  パネル前面部
Ｐｐ  防音パネルの端縁
Ｓ  取付部材
Ｓｐ  取付部材の先端部
【図１】
0003114943.tif 000003
【図２】
0003114943.tif 000004
【図３】
0003114943.tif 000005
【図４】
0003114943.tif 000006
【図５】
0003114943.tif 000007
【図６】
0003114943.tif 000008